(57)【要約】【課題】動作中にトラブルが発生した場合に無駄な読取及び印刷を行うことを防止することが可能な画像形成装置を提供することを目的としている。【解決手段】本発明の画像形成装置は、画像データの読取動作の開始指示を受けた後に原稿がセットされたか否かを検出し、原稿がセットされたことが検出されてから所定の読取開始時間が経過してから読取動作を開始する。【選択図】図３
2010213248.tif 000002
【特許請求の範囲】
【請求項１】
画像読取手段により原稿を読み取ることにより入力された画像データを印刷する画像形成装置であって、
前記原稿が前記画像読取手段に配置されたことを検出する原稿検出手段と、
前記画像読取手段による前記原稿の読取開始指示を受け付ける受付手段と、
前記受付手段により前記読取開始指示を受け付け、且つ前記原稿検出手段により前記原稿が前記画像読取手段に配置されたことが検出されたとき、前記画像読取手段に前記原稿の読み取りを実行させる制御手段と、を有する画像形成装置。
【請求項２】
前記原稿検出手段により前記原稿が配置されたことが検出されてから、前記画像読取手段による前記原稿の読み取りが開始されるまでの読取開始時間を設定する時間設定手段を有し、
前記制御手段は、設定された前記読取開始時間が経過した後に前記読取手段に前記原稿の読み取りを実行させる請求項１記載の画像形成装置。
【請求項３】
前記画像読取手段により読み取られた前記画像データを記憶する記憶手段と、
前記画像データを表示させる表示手段と、を有し、
前記画像データは、前記表示手段に表示された後に印刷される請求項１又は２記載の画像形成装置。
【請求項４】
前記画像データを編集する編集手段を有し、
前記制御手段は、
前記画像読取手段に、前記原稿において前記編集手段により設定された領域の読み取りを実行させ、
前記編集手段は、
前記画像読取手段により読み取られた領域以外の領域を白ベタの画像データに置き換える請求項１ないし３の何れか一項に記載の画像形成装置。
【請求項５】
前記編集手段は、
前記画像データの印刷順序を設定する請求項４記載の画像形成装置。
【請求項６】
前記画像データの印刷条件を設定する印刷条件設定手段を有する請求項１ないし５の何れか一項に記載の画像形成装置。
【請求項７】
ユーザ情報を取得する取得手段と、
ユーザ情報が格納されたデータベースを参照して前記取得手段により入力されたユーザ情報の認証を行う認証手段と、を有する請求項１ないし６の何れか一項に記載の画像形成装置。
【請求項８】
前記データベースおいて、前記ユーザ情報はユーザ毎に予め設定された前記読取開始時間を示すデータと対応付けられており、
前記時間設定手段は、
前記認証手段により認証された前記ユーザ情報と対応した前記読取開始時間を示すデータに基づき前記読取開始時間を設定する請求項７記載の画像形成装置。
【請求項９】
前記原稿を固定するための圧板により前記原稿が固定されたとき前記画像読取手段による前記原稿の読み取りが可能な状態となり、
前記圧板が前記原稿から離されたとき前記原稿の読み取りを停止させる請求項１ないし８の何れか一項に記載の画像形成装置。
【発明の詳細な説明】
【技術分野】
【０００１】
本発明は、画像読取手段により原稿を読み取り、読み取った画像データを印刷する画像形成装置に関する。
【背景技術】
【０００２】
従来の電子写真方式の画像形成装置において、本等のブック原稿からコピーをとる際、原稿の中央部等を両手で押さえることが一般的である。この場合、コピーを開始するために原稿から手を離して画像形成装置のスタートボタンを押下する必要があり、スタートボタンの押下後に急いで原稿を押さえると原稿の位置がずれてしまうことがあった。また、ブック原稿のページをめくりコピーをとる場合も、原稿の位置ずれが発生する場合がある。とくにページをめくりながらコピーをとる場合は、原稿の固定とスタートボタンの押下とを繰り返すため、位置ずれが連続で生じることがある。
【０００３】
そこで従来の画像形成装置では、タイマ手段を設け一定時間間隔で自動的に原稿の読み取りを行う技術（特許文献１）や、タイマ動作中に所定のキー入力によって読み取り間隔の時間変更を行うことができる技術（特許文献２）が用いられている。タイマ手段を用いた画像形成装置では、原稿がブック形式の原稿であれば、ページをめくるペースを早くすることで原稿を読み取る時間間隔を短縮することができる。
【発明の概要】
【発明が解決しようとする課題】
【０００４】
しかしながら、上記従来の画像形成装置では、自動的に読取が行われるため、例えば読取動作中や印刷中にトラブルが発生した場合は無駄な読取及び印刷が行われてしまうという問題があった。
【０００５】
本発明は、上記問題点を鑑みてこれを解決すべくなされたものであり、動作中にトラブルが発生した場合に無駄な読取及び印刷を行うことを防止することが可能な画像形成装置を提供することを目的としている。
【課題を解決するための手段】
【０００６】
本発明は、上記目的を達成すべく、以下の如き構成を採用した。
【０００７】
本発明は、画像読取手段により原稿を読み取ることにより入力された画像データを印刷する画像形成装置であって、前記原稿が前記画像読取手段に配置されたことを検出する原稿検出手段と、前記画像読取手段による前記原稿の読取開始指示を受け付ける受付手段と、前記受付手段により前記読取開始指示を受け付け、且つ前記原稿検出手段により前記原稿が前記画像読取手段に配置されたことが検出されたとき、前記画像読取手段に前記原稿の読み取りを実行させる制御手段と、を有する構成とした。
【０００８】
また本発明の画像形成装置は、前記原稿検出手段により前記原稿が配置されたことが検出されてから、前記画像読取手段による前記原稿の読み取りが開始されるまでの読取開始時間を設定する時間設定手段を有し、前記制御手段は、設定された前記読取開始時間が経過した後に前記読取手段に前記原稿の読み取りを実行させる構成としてもよい。
【０００９】
また本発明の画像形成装置は、前記画像読取手段により読み取られた前記画像データを記憶する記憶手段と、前記画像データを表示させる表示手段と、を有し、前記画像データは、前記表示手段に表示された後に印刷される構成としてもよい。
【００１０】
また本発明の画像形成装置は、前記画像データを編集する編集手段を有し、前記制御手段は、前記画像読取手段に、前記原稿において前記編集手段により設定された領域の読み取りを実行させ、前記編集手段は、前記画像読取手段により読み取られた領域以外の領域を白ベタの画像データに置き換える構成としてもよい。
【００１１】
また本発明の画像形成装置において、前記編集手段は、前記画像データの印刷順序を設定する構成としてもよい。
【００１２】
また本発明の画像形成装置は、前記画像データの印刷条件を設定する印刷条件設定手段を有する構成としてもよい。
【００１３】
また本発明の画像形成装置は、ユーザ情報を取得する取得手段と、ユーザ情報が格納されたデータベースを参照して前記取得手段により入力されたユーザ情報の認証を行う認証手段と、を有する構成としてもよい。
【００１４】
また本発明の画像形成装置は、前記データベースおいて、前記ユーザ情報はユーザ毎に予め設定された前記読取開始時間を示すデータと対応付けられており、前記時間設定手段は、前記認証手段により認証された前記ユーザ情報と対応した前記読取開始時間を示すデータに基づき前記読取開始時間を設定する構成としてもよい。
【００１５】
また本発明の画像形成装置は、前記原稿を固定するための圧板により前記原稿が固定されたとき前記画像読取手段による前記原稿の読み取りが可能な状態となり、前記圧板が前記原稿から離されたとき前記原稿の読み取りを停止させる構成としてもよい。
【発明の効果】
【００１６】
本発明によれば、動作中にトラブルが発生した場合に無駄な読取及び印刷を行うことを防止することができる。
【図面の簡単な説明】
【００１７】
【図１】第一の実施形態の画像形成装置１００の機能構成を説明するための図である。
【図２】第一の実施形態の原稿検出センサ１１１を説明するための図である。
【図３】第一の実施形態のシステム制御部２００による制御を説明する第一のフローチャートである。
【図４】第一の実施形態のシステム制御部２００による制御を説明する第二のフローチャートである。
【図５】第一の実施形態のシステム制御部２００における編集部２４０の処理を説明するフローチャートである。
【図６】第二の実施形態の画像形成装置１００Ａの機能構成を説明するための図である。
【図７】第二の実施形態のシステム制御部２００Ａによる制御を説明するフローチャートである。
【図８】第三の実施形態の画像形成装置１００Ｂの機能構成を説明するための図である。
【図９】第三の実施形態のシステム制御部２００Ｂによる制御について説明するフローチャートである。
【発明を実施するための形態】
【００１８】
本発明は、画像データの読取動作の開始指示を受けた後に原稿がセットされたか否かを検出し、原稿がセットされたことを検出した後に所定時間が経過してから読取動作を開始する。
（第一の実施形態）
以下に図面を参照して本発明の第一の実施形態について説明する。図１は、第一の実施形態の画像形成装置１００の機能構成を説明するための図である。
【００１９】
本実施形態の画像形成装置１００は、システム制御部２００、画像読取部１１０、書込部１２０、操作・表示部１３０、画像メモリ１４０、計時部１５０、メモリ１６０、パラメータメモリ１７０、Ｉ／Ｏ（インプット／アウトプット）制御部１８０、電装Ｉ／Ｆ（インターフェイス）部１９０、周辺機Ｉ／Ｆ部１９２を有する。
【００２０】
本実施形態のシステム制御部２００は、ＣＰＵ（Central Processing Unit）及びデジタルＩＣ（Integrated Circuit）の回路から構成されており、画像形成装置１００全体の制御を行う。システム制御部２００は、画像読取部１１０、書込部１２０、操作・表示部１３０の制御を行い、主に画像読取部１１０による原稿の読み取りの実行を制御する。システム制御部２００は、Ｉ／Ｏ制御部１８０と電装Ｉ／Ｆ部１９０を介して画像形成装置１００の電装品の制御を行う。システム制御部２００は、Ｉ／Ｏ制御部１８０と周辺機Ｉ／Ｆ部１９２を介して画像形成装置１００の周辺機の制御を行う。システム制御部２００の詳細は後述する。
【００２１】
画像読取部１１０は、画像読取手段として機能する例えばスキャナとスキャナの動作を制御する制御部等により実現される。また画像読取部１１０は、所定の解像度で原稿を読み取って画像データを入力する。本実施形態の画像読取部１１０は、セットされた原稿を検出するための原稿検出センサ１１１を有する。原稿検出センサ１１１の詳細は後述する。
【００２２】
書込部１２０は、画像データを書き出して出力する。書込部１２０は、例えばプロッタとプロッタの動作を制御する制御部等により実現され、所定の解像度で画像を記録出力（印刷）する。
【００２３】
操作・表示部１３０は、例えば表示機能を有するタッチパネル等により実現される。操作・表示部１３０は、使用者からのキー入力が行われる。操作・表示部１３０がモード選択部として機能する場合、使用者は、通常読取モード、通常モードとは異なる連続読取モード等の各種読取モードを操作・表示部１３０を介して選択することができる。ここで通常読取モードとは、後述するスタート受付部２１０が操作・表示部１３０から画像読取部１１０による原稿２０の読取動作の開始指示を受け付けると、読取制御部２２０が画像読取部１１０による原稿２０の読取動作をスタートさせるモードである。一方、連続読取モードとは、スタート受付部２１０が操作・表示部１３０から画像読取部１１０による原稿の読取動作の開始指示を受け付け後であって、所定の読取開始時間が経過した後に、読取制御部２２０が画像読取部１１０による原稿２０の読取動作をスタートさせるモードである。つまり、通常読取モードが、一般の画像形成装置の動作により原稿を読み取るためのモードであり、連続読取モードが、本実施形態で説明する画像形成装置１００の特有の処理により原稿を読み取るためのモードといえる。
【００２４】
また操作・表示部１３０は、コピー条件の設定画面、読み取った画像データ、設定された各種情報等を表示することができる。
【００２５】
画像メモリ１４０は、画像読取部１１０により読み取られた画像データが一時的に保存される。計時部１５０は、時計回路等で構成されており、現在の時刻情報を出力する。また計時部１５０は、画像形成装置１００内で使用されるタイマ用の時計としても用いられる。
【００２６】
メモリ１６０は、システム制御部２００により実行される制御プログラム及び処理プログラムを実行する際に必要となる各種データ等が記憶されており、ワークエリアとしても使用される。パラメータメモリ１７０は、画像形成装置１００の機器に固有の各種情報が記憶されている。Ｉ／Ｏ制御部１８０は、電装Ｉ／Ｆ部１９０や周辺機Ｉ／Ｆ部１９２を介してセンサやモーター等の電装品の制御や、本機器と接続される周辺機器との通信の制御を行う。
【００２７】
以下に本実施形態のシステム制御部２００の機能について説明する。本実施形態では、システム制御部２００がメモリ１６０に記憶された読取制御プログラムを読み出して実行することにより、以下に説明する各部の機能が実現される。
【００２８】
本実施形態のシステム制御部２００は、スタート受付部２１０、読取制御部２２０、時間設定部２３０、編集部２４０を有する。
【００２９】
スタート受付部２１０は、操作・表示部１３０から画像読取部１１０による原稿の読取動作の開始指示を受け付ける。読取制御部２２０は、画像読取部１１０による原稿の読取動作の制御を行う。時間設定部２３０は、原稿検出センサ１１１が原稿を検出してから画像読取部１１０による原稿の読取動作を開始するのまでの時間（以下、読取開始時間）を設定する。編集部２４０は、読み取った画像データを印刷する際に画像データの編集を行う。
【００３０】
以下に、図２を参照して本実施形態の原稿検出センサ１１１について説明する。図２は、第一の実施形態の原稿検出センサ１１１を説明するための図である。
【００３１】
本実施形態の原稿検出センサ１１１は、原稿が画像読取部１１０に配置されたことを検出する原稿検出手段として機能し、原稿検出センサ１１１に原稿２０を突き当てられると原稿２０を検出する。画像読取部１１０に含まれるコンタクトガラス３０を支持する筐体４０に設けられている。本実施形態の画像読取部１１０では、コンタクトガラス３０上に原稿２０を配置し、ＣＣＤ（Charge Coupled Device）イメージセンサ等により構成される図示しない読取ユニットを移動させて原稿２０を読み取っても良い。
【００３２】
本実施形態の原稿検出センサ１１１は、例えば原稿２０のサイズを判定する基準位置毎に複数設けられ、原稿のサイズ検知機能をもたせても良い。この場合、原稿検出センサ１１１は、複数の原稿検出センサ１１１に同時に原稿２０が突き当てられることにより、原稿２０のサイズを検出する。図２の例では、原稿がＡ５サイズであることを判定する基準位置と、原稿がＡ４サイズであることを判定する基準位置とに原稿検出センサ１１１が設けられている。
【００３３】
また本実施形態では、原稿検出センサ１１１をコンタクトガラス３０の中央部一箇所としても良い。この場合には、原稿検出センサ１１１で原稿２０のセットを検出したことをトリガとし、画像形成装置１００に設けられた原稿サイズ検知センサ（図示せず）を用いて原稿２０のサイズを検出しても良い。
【００３４】
次に、図３を参照して本実施形態のシステム制御部２００による制御について説明する。図３は、第一の実施形態のシステム制御部２００による制御を説明する第一のフローチャートである。
【００３５】
本実施形態のシステム制御原稿カバー又は自動原稿送り装置２００は、画像形成装置１００が連続読取モードへ、メインルーチン状態または他の読取モードから移行すると（ステップＳ３０１）、読取開始時間が入力された否かを判断する（ステップＳ３０２）。
【００３６】
ステップＳ３０２において読取開始時間が入力されていない場合、システム制御部２００は一定時間が経過したか否かを判断する（ステップＳ３０３）。尚一定時間は、予め設定されている時間である。ステップＳ３０３において一定時間が経過しても読取開始時間が入力されない場合、各種設定をクリアし（ステップＳ３０４）、処理を終了する。ステップＳ３０３において所定時間経過していない場合、ステップＳ３０２へ戻る。
【００３７】
ステップＳ３０２において読取開始時間が入力された場合、システム制御部２００は、時間設定部２３０から入力された読取開始時間を設定する（ステップＳ３０５）。次にシステム制御部２００は、スタート受付部２１０が原稿の読取開始指示を受け付けたか否かを判断する（ステップＳ３０６）。すなわちシステム制御部２００は、操作・表示部１３０において原稿の読取スタートボタンが押下されたか否かを判断する。
【００３８】
ステップＳ３０６において読取開始指示を受け付けつけていない場合、システム制御部２００は一定時間経過したか否かを判断する（ステップＳ３０７）。一定時間経過しても読取開始指示がない場合、システム制御部２００はステップＳ３０４へ進み処理を終了する。ステップＳ３０７において一定時間経過していない場合はステップＳ３０６へ戻る。
【００３９】
ステップＳ３０６において読取開始指示を受け付けた場合、システム制御部２００は、原稿検出センサ１１１の検出結果から、原稿２０の配置（セット）が完了したか否かを判断する（ステップＳ３０８）。すなわちシステム制御部２００は、原稿検出センサ１１１から原稿２０を検出したことを示す信号を受けたか否かを判断する。尚本実施形態では、このとき原稿２０のサイズを検出しても良い。
【００４０】
ステップＳ３０８で原稿２０のセットが完了していない場合、システム制御部２００は一定時間経過したか否かを判断する（ステップＳ３０９）。一定時間経過しても原稿２０のセットの完了が検出されない場合、システム制御部２００はステップＳ３０４へ進み処理を終了する。ステップＳ３０９において一定時間経過していない場合はステップＳ３０８へ戻る。
【００４１】
ステップＳ３０８で原稿２０のセットの完了が検出された場合、システム制御部２００は、読取制御部２２０により、ステップＳ３０５で設定された読取開始時間が経過した後に原稿２０の読取を開始させる（ステップＳ３１０）。原稿２０の読み取りが完了すると、システム制御部２００は、書込部１２０により画像データの印刷を行う（ステップＳ３１１）。
【００４２】
次にシステム制御部２００は、読取動作の停止指示を受けたか否かを判断する（ステップＳ３１２）。尚本実施形態のシステム制御部２００は、例えば操作・表示部１３０のストップキーが押下された場合や原稿カバー又は自動原稿送り装置が上げられて原稿２０から離された場合に、読取動作の停止指示を受けたものとする。
【００４３】
ステップＳ３１２で停止指示を受けた場合、システム制御部２００は処理を終了する。ステップＳ３１２で停止指示を受けていない場合、システム制御部２００はステップＳ３０８以降の処理を繰り返す。
【００４４】
以上に説明したように、本実施形態では、原稿２０がセットされてから読取開始時間が経過した後に原稿２０の読取動作を開始する。よって本実施形態では、読取開始時間を利用してセットされた原稿２０を的確に固定させることができる。
【００４５】
また本実施形態では、原稿検出センサ１１１により原稿２０のサイズを検出することができるため、セットされた原稿２０のサイズを確認した上で読取動作及び印刷が実行される。よって本実施形態では、意図しないサイズで原稿２０が印刷されることを防ぐことができる。
【００４６】
また本実施形態では、スタート受付部２１０により読取動作開始指示を受け付けてから、読取動作を開始するため、原稿２０の動作中又は読み取った画像データの印刷中にトラブルが発生した場合に無駄な読み取り及び印刷を行うことを防止できる。
【００４７】
次に図４を参照して、複数の原稿を読み取って印刷する処理について説明する。図４は、第一の実施形態のシステム制御部２００による制御を説明する第二のフローチャートである。
【００４８】
図４のステップＳ４０１からステップＳ４１２までの処理は、図３のステップＳ３０１からステップＳ３１２までの処理と同様であるから説明を省略する。
【００４９】
ステップＳ４１２において停止指示を受けた場合、システム制御部２００は処理を終了する。ステップＳ４１２において停止指示を受けていない場合、システム制御部２００は、一定時間が経過したか否かを判断する（ステップＳ４１３）。ステップＳ４１３において一定時間が経過した場合、システム制御部２００は、次の原稿の読み取りは行わないものと判断し、処理を終了する。ステップＳ４１３において一定時間が経過していない場合、ステップＳ４０８へ戻り、ステップＳ４０８以降の処理を繰り返す。
【００５０】
すなわち図４の例では、最初の原稿２０が読み取られて印刷された後に、続けて次の原稿の読取動作へ移行することができる。
【００５１】
次に図５を参照して本実施形態のシステム制御部２００の編集部２４０の処理について説明する。図５は、第一の実施形態のシステム制御部２００における編集部２４０の処理を説明するフローチャートである。
【００５２】
本実施形態の画像形成装置１００では、編集部２４０により、原稿２０の読取動作が完了した後に、読み取った画像データを操作・表示部１３０に表示させることができる。つまり、読取動作により画像メモリ１４０に格納された画像データを、操作・表示部１３０に表示させることができる。
【００５３】
操作・表示部１３０に画像データが表示されると、システム制御部２００は、編集部２４０により編集可能な画面が表示される（ステップＳ５０１）。例えば操作・表示部１３０には、画像データの編集画面が表示される。ステップＳ５０１において表示された編集画面において、編集内容を設定する操作がなされると、編集部２４０は編集内容を設定する（ステップＳ５０２）。
【００５４】
尚ステップＳ５０２における編集内容とは、例えば印刷に関する内容である。具体的には例えば、印刷予定の画像データの削除である。また読み取った画像データを印刷する画像データに追加することである。また印刷される画像データが複数である場合は、編集内容は、画像データの並べ替えであっても良い。画像データが並べ替えられた場合には、システム制御部２００は、編集部２４０により並べられた順番に書込部１２０に画像データを印刷させる。
【００５５】
また本実施形態の画像形成装置１００は、図２に示すように、コンタクトガラス３０を支持する筐体にスケール５１、５２が印刷されていても良い。この場合編集内容は、スケール５１、５２のメモリに基づいて設定された読取領域であっても良い。例えば原稿２０において領域６０に印刷された画像のみを読み取りたい場合、スケール５１、５２のメモリに基づき、編集画面で領域６０を指定する内容を設定すれば良い。本実施形態のシステム制御部２００では、読取領域が指定されると、指定された領域以外の領域は白ベタの画像データに置き換える。よって、原稿２０の不要な領域を読み取って印刷することがなくなり、トナーの使用量の削減することができる。
【００５６】
編集内容の設定が完了すると（ステップＳ５０３）、システム制御部２００は、書込部１２０により編集内容に沿って画像データの印刷を実行させて（ステップＳ５０４）、処理を終了する。
【００５７】
ステップＳ５０３において編集内容の設定が完了していない場合、システム制御部２００は一定時間が経過したか否かを判断する（ステップＳ５０５）。ステップＳ５０５において一定時間が経過した場合、システム制御部２００は編集内容を全てクリアし、無効とする（ステップＳ５０６）。ステップＳ５０５において一定時間経過していない場合はステップＳ５０２へ戻り、ステップＳ５０２以降の処理を繰り返す。
【００５８】
編集内容を全てクリアすると、システム制御部２００は一定時間が経過したか否かを判断する（ステップＳ５０７）。ステップＳ５０７において一定時間が経過した場合、システム制御部２００は画像データを消去し（ステップＳ５０８）、処理を終了する。ステップＳ５０７において一定時間経過していない場合はステップＳ５０２へ戻り、ステップＳ５０２以降の処理を繰り返す。
【００５９】
以上に説明したように、本実施形態では、画像データの読取動作の開始指示を受けた後に原稿２０がセットされたか否かを検出し、原稿２０がセットされたことが検出されてから所定時間経過してから読取動作を開始する。
【００６０】
よって本実施形態では原稿２０がセットされてから読取動作が開始されるまでの間に使用者が原稿２０を確実に固定することができる。また本実施形態では、読取動作開始指示を受け付けてから、読取動作を開始するため、原稿２０の動作中又は読み取った画像データの印刷中にトラブルが発生した場合に無駄な読み取り及び印刷を行うことを防止できる。
【００６１】
（第二の実施形態）
以下に図面を参照して本発明の第二の実施形態について説明する。本発明の第二の実施形態は、画像データの印刷条件の設定が可能な点が第一の実施形態と相違する。よって以下の第二の実施形態の説明では、第一の実施形態との相違点についてのみ説明し、第一の実施形態と同様の機能構成を有するものには第一の実施形態の説明で用いた符号と同様の符号を付与し、その説明を省略する。
【００６２】
図６は、第二の実施形態の画像形成装置１００Ａの機能構成を説明するための図である。本実施形態の画像形成装置１００Ａの有するシステム制御部２００Ａは、スタート受付部２１０、読取制御部２２０、時間設定部２３０、編集部２４０、印刷条件設定部２５０を有する。
【００６３】
本実施形態の印刷条件設定部２５０は、画像データを印刷する際の印刷条件を設定する。本実施形態の印刷条件設定部２５０により設定される印刷条件とは、例えば両面印刷、印刷用紙のステプラー止め、印刷用紙にパンチ穴をあける、製本状態とする等である。
【００６４】
本実施形態のシステム制御部２００Ａは、印刷条件設定部２５０により印刷条件を設定する場合には、画像データを一時的に保存してから印刷条件の設定を行う。
【００６５】
以下に図７を参照して本実施形態のシステム制御部２００Ａによる制御について説明する。図７は、第二の実施形態のシステム制御部２００Ａによる制御を説明するフローチャートである。
【００６６】
本実施形態のシステム制御部２００Ａは、画像形成装置１００Ａがメインルーチン状態から原稿読取モードへ移行すると（ステップＳ７０１）、読み込んだ画像データを一時的に保存するか否かを設定する（ステップＳ７０２）。
【００６７】
ステップＳ７０２において画像データを一時的に保存しない設定とされた場合、システム制御部２００Ａは図３のステップＳ３０２以降の処理を行う。
【００６８】
ステップＳ７０２において画像データを一時的に保存する設定された場合、システム制御部２００Ａは入力された読取開始時間を設定する（ステップＳ７０３）。尚本実施形態では、読取開始時間は予め設定されているものとしたが、図３で説明したように、読取開始時間の入力を待って読取開始時間の設定を行っても良い。
【００６９】
ステップＳ７０４からステップＳ７０８までの処理は、図３のステップＳ３０６からステップＳ３１０までの処理と同様であるから説明を省略する。
【００７０】
ステップＳ７０８において画像読取部１１０により原稿２０が読み取られると、システム制御部２００Ａは読み取った画像データを一時的に保存する（ステップＳ７０９）。本実施形態では、画像データは例えば、揮発性の画像メモリ１４０に保存されても良いし、画像形成装置１００Ａの有するハードディスク等の外部記憶装置に保存されても良い。
【００７１】
ステップＳ７１０の処理は、図３のステップＳ３１２の処理と同様であるから説明を省略する。
【００７２】
ステップＳ７１０において停止指示を受けると、システム制御部２００Ａは、操作・表示部１３０に読み取った画像データを表示させる（ステップＳ７１１）。尚ここで表示される画像データはステップＳ７０９において一時的に保存された画像データである。
【００７３】
画像データを表示させると、システム制御部２００Ａは、印刷条件の入力が有ったか否かを判断する（ステップＳ７１２）。ステップＳ７１２において印刷条件の入力がない場合、システム制御部２００Ａは一定時間が経過したか否かを判断する（ステップＳ７１３）。ステップＳ７１３において一定時間が経過した場合、システム制御部２００Ａは画像データを消去する（ステップＳ７１４）。そしてシステム制御部２００Ａは、各種設定をクリアして無効とし（ステップＳ７１５）、処理を終了する。ステップＳ７１３において一定時間経過していない場合はステップＳ７１２へ戻る。
【００７４】
ステップＳ７１２において印刷条件の入力があった場合、システム制御部２００Ａは印刷条件設定部２５０により入力された印刷条件を設定し、書込部１２０により設定された印刷条件に沿って画像データを印刷して（ステップＳ７１６）、処理を終了する。
【００７５】
以上に説明したように、本実施形態では、画像データの印刷条件を設定することができる。
【００７６】
（第三の実施形態）
以下に図面を参照して本発明の第三の実施形態について説明する。本発明の第三の実施形態は、ユーザ認証を行う点が第二の実施形態と相違する。よって以下の第三の実施形態の説明では、第二の実施形態との相違点についてのみ説明し、第二の実施形態と同様の機能構成を有するものには第二の実施形態の説明で用いた符号と同様の符号を付与し、その説明を省略する。
【００７７】
図８は、第三の実施形態の画像形成装置１００Ｂの機能構成を説明するための図である。本実施形態の画像形成装置１００Ｂの有するシステム制御部２００Ｂは、スタート受付部２１０、読取制御部２２０、時間設定部２３０、編集部２４０、印刷条件設定部２５０、認証部２６０を有する。
【００７８】
また本実施形態の画像形成装置１００Ｂは、周辺機Ｉ／Ｆ部１９２を介して接続されたカードリーダ１９４、ユーザ認証に用いるユーザ情報が記憶されているユーザ情報データベース１９６を有する。本実施形態のカードリーダ１９４は、ユーザ情報が記憶されたＩＣカードからユーザ情報を読み取る。尚ＩＣカードに記憶されたユーザ情報とは、例えばユーザ名とパスワード等である。本実施形態のカードリーダ１９４は、ＩＣカードを接触させてユーザ情報を読み取る接触型のカードリーダであっても良いし、ＩＣカードを接触させずにユーザ情報を読み取る非接触型のカードリーダであっても良い。
【００７９】
本実施形態のユーザ情報データベース１９６は、例えば画像形成装置１００の有するハードディスクに形成されていても良い。本実施形態のユーザ情報データベース１９６には、例えばユーザ名とパスワードとユーザ毎に設定された各種情報とが対応付けられて記憶されている。尚本実施形態では、ユーザ毎に設定された各種情報に読取開始時間が含まれる。
【００８０】
本実施形態の認証部２６０は、カードリーダ１９４が読み取ったユーザ情報の認証を行う。例えば本実施形態の認証部２６０は、カードリーダ１９４が読み取ったユーザ情報と同一のユーザ情報がユーザ情報データベース１９６内に存在するか否かを判断し、該当するユーザ情報がユーザ情報データベース１９６内に存在する場合に読み取ったユーザ情報を認証する。
【００８１】
尚本実施形態において、認証対象となるユーザ情報は、操作・表示部１３０から入力されても良い。この場合認証部２６０は、入力されたユーザ情報と同一のユーザ情報がユーザ情報データベース１９６内に存在した場合に入力されたユーザ情報を認証する。
【００８２】
以下に図９を参照して本実施形態のシステム制御部２００Ｂによる制御について説明する。図９は、第三の実施形態のシステム制御部２００Ｂによる制御について説明するフローチャートである。
【００８３】
本実施形態のシステム制御部２００Ｂは、画像形成装置１００Ｂがメインルーチン状態から原稿読取モードへ移行すると（ステップＳ９０１）、システム制御部２００Ｂは、認証部２６０によるユーザ認証が行われたか否かを判断する（ステップＳ９０２）。すなわちシステム制御部２００Ｂは、カードリーダ１９４又は操作・表示部１３０からユーザ情報が入力されたか否かを判断し、ユーザ情報が入力された場合は認証部２６０によりユーザ認証を行う。
【００８４】
認証部２６０によりユーザ情報が認証されると、システム制御部２００Ｂは、ユーザ情報データベース１９６を参照して認証されたユーザ情報と対応付けられた読取開始時間を示すデータ（以下、読取開始時間データ）を取得する。そしてシステム制御部２００Ｂは、時間設定部２３０により、取得した読取開始時間データを設定する（ステップＳ９０３）。
【００８５】
ステップＳ９０２においてユーザ認証が行われなかった場合、システム制御部２００Ｂは、後述するステップＳ９０４へ進む。尚ユーザ認証が行われなかった場合とは、例えば原稿読取モードに移行してから一定時間以内にユーザ情報が入力されなかった場合や、入力されたユーザ情報が認証されなかった場合である。
【００８６】
ステップＳ９０４からステップＳ９１２までの処理は、図３のステップＳ３０２からステップＳ３１０までの処理と同様であるから説明を省略する。
【００８７】
ステップＳ９１２において画像読取部１１０により原稿２０が読み取られると、システム制御部２００Ｂは読み取った画像データを一時的に保存する（ステップＳ９１３）。次にシステム制御部２００Ｂは、読取動作の停止指示を受けたか否かを判断する（ステップＳ９１４）。
【００８８】
ステップＳ９１４で停止指示を受けていない場合、システム制御部２００ＢはステップＳ９１０以降の処理を繰り返す。
【００８９】
ステップＳ９１４で停止指示を受けた場合、システム制御部２００Ｂは、ステップＳ９０７で設定された読取開始時間を示す読取開始時間データを、ステップＳ９０２で認証されたユーザ情報と対応付けてユーザ情報データベース１９６へ記憶する（ステップＳ９１５）。尚ステップＳ９０２においてユーザ情報が認証されなかった場合には、読取開始時間データは記憶されなくても良い。
【００９０】
ステップＳ９１６からステップＳ９１８までの処理は、図７のステップＳ７１１からステップＳ７１３までの処理と同様であり、ステップＳ９１９とステップＳ９２０の処理は、図７のステップＳ７１４とステップＳ７１６の処理と同様であるから説明を省略する。
【００９１】
以上に説明したように、本実施形態では、ユーザ毎に読取開始時間を設定することができるので、原稿２０を的確に固定するのにかかる時間をユーザ毎に設定することができる。
【００９２】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【００９３】
１００、１００Ａ、１００Ｂ  画像形成装置
１１０  画像読取部
１２０  書込部
１３０  操作・表示部
１４０  画像メモリ
２００、２００Ａ、２００Ｂ  システム制御部
２１０  スタート受付部
２２０  読取制御部
２３０  時間設定部
２４０  編集部
２５０  印刷条件設定部
２６０  認証部
【先行技術文献】
【特許文献】
【００９４】
【特許文献１】特開平５−３３３６３９号公報
【特許文献２】特開昭６２−２９４２６４号公報
【図１】
2010213248.tif 000003
【図２】
2010213248.tif 000004
【図３】
2010213248.tif 000005
【図４】
2010213248.tif 000006
【図５】
2010213248.tif 000007
【図６】
2010213248.tif 000008
【図７】
2010213248.tif 000009
【図８】
2010213248.tif 000010
【図９】
2010213248.tif 000011